(57)【特許請求の範囲】
【請求項１】
複数の機能を備え、前記機能に関連する設定を外部から操作可能な画像形成装置において、
前記機能を使用するジョブの処理を制御するジョブ処理部を有し、
前記ジョブ処理部は、外部からアクセスする第１のユーザによる、１以上の機能に関連する設定の変更操作を認識したら、外部からアクセスする第２のユーザが指示する、前記１以上の機能に含まれるいずれかの機能を使用するジョブの開始を禁止し、
前記機能に関連する設定を操作する画面は、階層構造になっており、
前記ジョブ処理部は、前記第１のユーザによる、前記１以上の機能に関連する設定を変更可能な階層下への画面遷移を、当該設定の変更操作として認識する、
ことを特徴とする画像形成装置。
【請求項２】
複数の機能を備え、前記機能に関連する設定を外部から操作可能な画像形成装置において、
前記機能を使用するジョブの処理を制御するジョブ処理部を有し、
前記ジョブ処理部は、外部からアクセスする第１のユーザによる、１以上の機能に関連する設定の変更操作を認識したら、外部からアクセスする第２のユーザが指示する、前記１以上の機能に含まれるいずれかの機能を使用するジョブの開始を禁止し、
前記第１のユーザは、前記機能に関連する設定を操作する画面において、１以上の機能に関連する設定の変更操作が可能であり、
前記ジョブ処理部は、前記第１のユーザによる、前記１以上の機能に関連する設定を変更可能な画面への遷移を、当該設定の変更操作として認識する、
ことを特徴とする画像形成装置。
【請求項３】
前記ジョブ処理部は、前記１以上の機能に含まれるいずれかの機能を使用するジョブの開始を禁止するとともに、前記ジョブの編集操作は許可する、
ことを特徴とする請求項１又は２に記載の画像形成装置。
【請求項４】
前記ジョブ処理部は、前記第２のユーザが指示する、前記１以上の機能に含まれない機能を使用するジョブの開始は許可する、
ことを特徴とする請求項１乃至３のいずれか一に記載の画像形成装置。
【請求項５】
前記ジョブ処理部は、前記第１のユーザによる、前記１以上の機能に関連する設定の変更操作を認識したら、前記第２のユーザに、前記１以上の機能に関連する設定が変更される可能性がある旨、前記１以上の機能に含まれるいずれかの機能を使用するジョブの開始が禁止される旨、又は、前記１以上の機能に関連する設定を変更可能な階層下への画面遷移が禁止される旨を通知する、
ことを特徴とする請求項１乃至４のいずれか一に記載の画像形成装置。
【請求項６】
複数の機能を備え、前記機能に関連する設定を外部から操作可能な画像形成装置に、１以上の機能を使用するジョブの処理を指示するジョブ指示装置において、
前記ジョブの指示を制御するジョブ指示部を有し、
前記ジョブ指示部は、前記画像形成装置から通知される情報に基づいて、他の装置から前記画像形成装置にアクセスする他のユーザによる、１以上の機能に関連する設定の変更操作を認識したら、前記１以上の機能に含まれるいずれかの機能を使用するジョブの指示を禁止し、
前記機能に関連する設定を操作する画面は、階層構造になっており、
前記ジョブ指示部は、前記画像形成装置から通知される情報に基づいて、前記他のユーザによる、前記１以上の機能に関連する設定を変更可能な階層下への画面遷移を認識したら、自装置における、前記階層下への画面遷移を禁止する、
ことを特徴とするジョブ指示装置。
【請求項７】
複数の機能を備え、前記機能に関連する設定を外部から操作可能な画像形成装置に、１以上の機能を使用するジョブの処理を指示するジョブ指示装置において、
前記ジョブの指示を制御するジョブ指示部を有し、
前記ジョブ指示部は、前記画像形成装置から通知される情報に基づいて、他の装置から前記画像形成装置にアクセスする他のユーザによる、１以上の機能に関連する設定の変更操作を認識したら、前記１以上の機能に含まれるいずれかの機能を使用するジョブの指示を禁止し、
前記他のユーザは、前記機能に関連する設定を操作する画面において、１以上の機能に関連する設定の変更操作が可能であり、
前記ジョブ指示部は、前記他のユーザによる、前記１以上の機能に関連する設定を変更可能な画面への遷移を認識したら、自装置における画面遷移を禁止する、
ことを特徴とするジョブ指示装置。
【請求項８】
前記ジョブ指示部は、前記１以上の機能に含まれない機能を使用するジョブの指示は許可する、
ことを特徴とする請求項６又は７に記載のジョブ指示装置。
【請求項９】
前記ジョブ指示部は、前記他のユーザによる、前記１以上の機能に関連する設定の変更操作を認識したら、自装置を操作するユーザに、前記１以上の機能に関連する設定が変更される可能性がある旨、又は、前記１以上の機能に含まれるいずれかの機能を使用するジョブの開始が禁止される旨、又は、前記１以上の機能に関連する設定を変更可能な階層下への画面遷移が禁止される旨を通知する、
ことを特徴とする請求項６乃至８のいずれか一に記載のジョブ指示装置。
【請求項１０】
複数の機能を備える画像形成装置と、前記機能に関連する設定を操作可能な第１の装置と、１以上の機能を使用するジョブの処理を指示する第２の装置と、がネットワークで接続されたジョブ処理システムにおいて、
前記第１の装置は、１以上の機能に関連する設定の変更操作を行われたら、操作情報を前記画像形成装置に通知し、
前記画像形成装置は、前記操作情報に基づいて、前記１以上の機能に関連する設定の変更操作を認識したら、前記第２の装置に、前記１以上の機能に含まれるいずれかの機能を使用するジョブの開始を禁止する情報を通知し、
前記第２の装置は、前記通知された情報に基づいて、前記１以上の機能に含まれるいずれかの機能を使用するジョブの指示を禁止し、
前記機能に関連する設定を操作する画面は、階層構造になっており、
前記画像形成装置は、前記第１の装置における、前記１以上の機能に関連する設定を変更可能な階層下への画面遷移を、当該設定の変更操作として認識する、
ことを特徴とするジョブ処理システム。
【請求項１１】
前記画像形成装置は、前記第２の装置に、前記第１の装置で前記１以上の機能に関連する設定を変更可能な階層下への画面遷移が行われたことを通知し、
前記第２の装置は、前記通知に基づいて、自装置における、前記階層下への画面遷移を禁止する、
ことを特徴とする請求項１０に記載のジョブ処理システム。
【請求項１２】
複数の機能を備える画像形成装置と、前記機能に関連する設定を操作可能な第１の装置と、１以上の機能を使用するジョブの処理を指示する第２の装置と、がネットワークで接続されたジョブ処理システムにおいて、
前記第１の装置は、１以上の機能に関連する設定の変更操作を行われたら、操作情報を前記画像形成装置に通知し、
前記画像形成装置は、前記操作情報に基づいて、前記１以上の機能に関連する設定の変更操作を認識したら、前記第２の装置に、前記１以上の機能に含まれるいずれかの機能を使用するジョブの開始を禁止する情報を通知し、
前記第２の装置は、前記通知された情報に基づいて、前記１以上の機能に含まれるいずれかの機能を使用するジョブの指示を禁止し、
ユーザは、前記機能に関連する設定を操作する画面において、１以上の機能に関連する設定の変更操作が可能であり、
前記画像形成装置は、前記第１の装置における、前記１以上の機能に関連する設定を変更可能な画面への遷移を、当該設定の変更操作として認識する、
ことを特徴とするジョブ処理システム。
【請求項１３】
前記画像形成装置は、前記１以上の機能に含まれるいずれかの機能を使用するジョブの開始を禁止するとともに、前記ジョブの編集操作は許可する、
ことを特徴とする請求項１０乃至１２のいずれか一に記載のジョブ処理システム。
【請求項１４】
前記画像形成装置は、前記１以上の機能に含まれない機能を使用するジョブの開始は許可する、
ことを特徴とする請求項１０乃至１３のいずれか一に記載のジョブ処理システム。
【請求項１５】
前記画像形成装置は、前記操作情報に基づいて、前記１以上の機能に関連する設定の変更操作を認識したら、前記１以上の機能に関連する設定が変更される可能性がある旨、又は、前記１以上の機能に含まれるいずれかの機能を使用するジョブの開始が禁止される旨、又は、前記１以上の機能に関連する設定を変更可能な階層下への画面遷移が禁止される旨を前記第２の装置に通知し、
前記第２の装置は、通知された情報を画面上に表示する、
ことを特徴とする請求項１０乃至１４のいずれか一に記載のジョブ処理システム。
【請求項１６】
複数の機能を備え、前記機能に関連する設定を外部から操作可能な画像形成装置で実行されるプログラムであって、
前記画像形成装置に、
外部からアクセスする第１のユーザによる、１以上の機能に関連する設定の変更が可能な階層下への画面遷移が行われたことで変更操作を認識したら、外部からアクセスする第２のユーザが指示する、前記１以上の機能に含まれるいずれかの機能を使用するジョブの開始を禁止し、
前記機能に関連する設定を操作する画面は階層構造になっており、
前記第１のユーザによる、前記１以上の機能に関連する設定を変更可能な階層下への画面遷移を、当該設定の変更操作として認識する、
ことを実行させる画像形成装置のプログラム。
【請求項１７】
複数の機能を備え、前記機能に関連する設定を外部から操作可能な画像形成装置に実行させるプログラムであって、
前記画像形成装置に、
外部からアクセスする第１のユーザによる、１以上の機能に関連する設定の変更が可能な画面への画面遷移が行われたことで変更操作を認識したら、外部からアクセスする第２のユーザが指示する、前記１以上の機能に含まれるいずれかの機能を使用するジョブの開始を禁止し、
前記第１のユーザは、前記機能に関連する設定を操作する画面において、１以上の機能に関連する設定の変更操作が可能であり、
前記第１のユーザによる、前記１以上の機能に関連する設定を変更可能な画面への遷移を、当該設定の変更操作として認識する、
ことを実行させる画像形成装置のプログラム。
【請求項１８】
複数の機能を有し、前記機能に関連する設定を外部から操作可能であって、画像形成装置に、１以上の機能を使用するジョブの処理を指示するジョブ指示装置に実行させるプログラムであって、
前記ジョブ指示装置に、
前記画像形成装置から通知される情報に基づいて、他の装置から前記画像形成装置にアクセスする他のユーザによる、１以上の機能に関連する設定の変更が可能な階層下への画面遷移が行われたことで変更操作を認識したら、自装置において、前記１以上の機能に含まれるいずれかの機能を使用するジョブの指示を禁止し、
前記機能に関連する設定を操作する画面は、階層構造になっており、
前記画像形成装置から通知される情報に基づいて、前記他のユーザによる、前記１以上の機能に関連する設定を変更可能な階層下への画面遷移を認識したら、自装置における、前記階層下への画面遷移を禁止する、
ことを実行させるジョブ指示装置のプログラム。
【請求項１９】
複数の機能を有し、前記機能に関連する設定を外部から操作可能な画像形成装置に、１以上の機能を使用するジョブの処理を指示するジョブ指示装置に実行させるプログラムであって、
前記ジョブ指示装置に、
前記画像形成装置から通知される情報に基づいて、他の装置から前記画像形成装置にアクセスする他のユーザによる、１以上の機能に関連する設定の変更が可能な画面への画面遷移が行われたことで変更操作を認識したら、自装置において、前記１以上の機能に含まれるいずれかの機能を使用するジョブの指示を禁止し、
前記他のユーザは、前記機能に関連する設定を操作する画面において、１以上の機能に関連する設定の変更操作が可能であり、
前記他のユーザによる、前記１以上の機能に関連する設定を変更可能な画面への遷移を認識したら、自装置における画面遷移を禁止する、
ことを実行させるジョブ指示装置のプログラム。
【発明の詳細な説明】
【技術分野】
【０００１】
本発明は、画像形成装置及びジョブ指示装置並びにジョブ処理システム並びにプログラムに関し、特に、ジョブを処理する画像形成装置及び画像形成装置にジョブを指示するジョブ指示装置並びに画像形成装置とジョブ指示装置とを含むジョブ処理システム並びにプログラムに関する。
【背景技術】
【０００２】
外部装置から、複合機（ＭＦＰ：Multi Function Peripheral）などの画像形成装置にジョブを指示するシステムでは、画像形成装置にアクセスして、使用する機能を設定することができる。その際、複数のユーザが画像形成装置にアクセスすると、機能に関連する設定が複数のユーザによって別々に変更される場合が生じ、意図しない設定でジョブが処理される恐れがある。この問題に対して、１人のユーザのみにログインを許可し、他のユーザからのアクセスを禁止するように制御することも可能であるが、この方法では、ログインユーザのジョブ処理が終了するまで、他のユーザはジョブ処理を行うことができず不便である。
【０００３】
このような背景から、複数のユーザがアクセスした場合の制御に関して様々な提案がなされており、例えば、下記特許文献１には、入力された印刷ジョブに基づいて記録紙上に画像形成する画像形成装置であって、所定のユーザが前記画像形成装置にログイン中であっても、前記所定のユーザとは異なるユーザからのユーザ情報を入力可能な入力手段と、前記入力手段によりユーザ情報が入力されたユーザに関する所定の処理のうち前記画像形成を伴わない前処理を、前記所定のユーザが前記画像形成装置にログイン中に行う前処理手段と、を有する構成が開示されている。
【０００４】
また、下記特許文献２には、各種情報を表示する表示手段を有し、ユーザが操作可能な操作キーを備えた操作パネルと、ユーザからの認証要求に伴って入力されるユーザ情報を、予め登録された情報と照合することによって認証処理を行うユーザ認証手段と、前記ユーザ認証手段におけるユーザ認証が成功した場合、当該ユーザをログイン状態とし、当該ユーザが操作可能な機能に関する表示画面を前記表示手段に表示させる制御手段と、を備え、第１のユーザがログイン状態であるとき、第１のユーザとは異なる第２のユーザが認証要求を行った場合には、第１のユーザが操作中である機能の機密レベルの高さに応じて、第２のユーザのログインを許可又は不許可とする構成が開示されている。
【先行技術文献】
【特許文献】
【０００５】
【特許文献１】特開２００７−１０５９３７号公報
【特許文献２】特開２０１０−００２９５１号公報
【発明の概要】
【発明が解決しようとする課題】
【０００６】
近年、スマートフォンやタブレット端末などの携帯端末の普及に伴い、様々なアプリケーションが提供されており、印刷に関しても、画像形成装置の操作部の役割を持つアプリケーションが提供されている。このアプリケーションを用いて、遠隔操作で画像形成装置にジョブを指示する場合、複数の携帯端末から複数のユーザが同時にアクセスしてジョブを指示できるようにすることが求められるが、複数のユーザが同時に画像形成装置の機能の関連する設定を行うと、上述したように、意図しない設定でジョブが処理されるという問題が顕著に現れる。
【０００７】
本発明は、上記問題点に鑑みてなされたものであって、その主たる目的は、複数のユーザが同時にアクセスした場合でも、意図しない設定でのジョブ処理を未然に防止することができる画像形成装置及びジョブ指示装置並びにジョブ処理システム並びにプログラムを提供することにある。
【課題を解決するための手段】
【０００８】
上記目的を達成するため、本発明は、複数の機能を備え、前記機能に関連する設定を外部から操作可能な画像形成装置において、前記機能を使用するジョブの処理を制御するジョブ処理部を有し、前記ジョブ処理部は、外部からアクセスする第１のユーザによる、１以上の機能に関連する設定の変更操作を認識したら、外部からアクセスする第２のユーザが指示する、前記１以上の機能に含まれるいずれかの機能を使用するジョブの開始を禁止し、前記機能に関連する設定を操作する画面は、階層構造になっており、前記ジョブ処理部は、前記第１のユーザによる、前記１以上の機能に関連する設定を変更可能な階層下への画面遷移を、当該設定の変更操作として認識するものである。
【０００９】
また、本発明は、複数の機能を備え、前記機能に関連する設定を外部から操作可能な画像形成装置に、１以上の機能を使用するジョブの処理を指示するジョブ指示装置において、前記ジョブの指示を制御するジョブ指示部を有し、前記ジョブ指示部は、前記画像形成装置から通知される情報に基づいて、他の装置から前記画像形成装置にアクセスする他のユーザによる、１以上の機能に関連する設定の変更操作を認識したら、前記１以上の機能に含まれるいずれかの機能を使用するジョブの指示を禁止し、前記機能に関連する設定を操作する画面は、階層構造になっており、前記ジョブ指示部は、前記画像形成装置から通知される情報に基づいて、前記他のユーザによる、前記１以上の機能に関連する設定を変更可能な階層下への画面遷移を認識したら、自装置における、前記階層下への画面遷移を禁止するものである。
【００１０】
また、本発明は、複数の機能を備える画像形成装置と、前記機能に関連する設定を操作可能な第１の装置と、１以上の機能を使用するジョブの処理を指示する第２の装置と、がネットワークで接続されたジョブ処理システムにおいて、前記第１の装置は、１以上の機能に関連する設定の変更操作を行われたら、操作情報を前記画像形成装置に通知し、前記画像形成装置は、前記操作情報に基づいて、前記１以上の機能に関連する設定の変更操作を認識したら、前記第２の装置に、前記１以上の機能に含まれるいずれかの機能を使用するジョブの開始を禁止する情報を通知し、前記第２の装置は、前記通知された情報に基づいて、前記１以上の機能に含まれるいずれかの機能を使用するジョブの指示を禁止し、前記機能に関連する設定を操作する画面は、階層構造になっており、前記画像形成装置は、前記第１の装置における、前記１以上の機能に関連する設定を変更可能な階層下への画面遷移を、当該設定の変更操作として認識するものである。
【発明の効果】
【００１１】
本発明の画像形成装置及びジョブ指示装置並びにジョブ処理システムによれば、複数のユーザが同時にアクセスした場合でも、意図しない設定でのジョブ処理を未然に防止することができる。
【００１２】
その理由は、画像形成装置（ジョブ指示装置）は、第１のユーザによる、１以上の機能に関連する設定の変更操作を認識したら、第２のユーザが指示する、１以上の機能に含まれるいずれかの機能を使用するジョブの開始（指示）を禁止し、１以上の機能に含まれない機能を使用するジョブの開始（指示）を許可する制御を行うからである。
【００１３】
また、機能を設定する画面が階層構造になっている場合に、第１のユーザによる、１以上の機能に関連する設定を変更可能な階層下への画面遷移を、当該設定の変更操作であると認識し、１以上の機能に含まれるいずれかの機能を使用するジョブの開始（指示）を禁止したり、第２のユーザによる、当該階層下への画面遷移を禁止したり、ジョブの開始（指示）が禁止される旨や当該階層下への画面遷移が禁止される旨を通知したりする制御を行うからである。
【図面の簡単な説明】
【００１４】
【図１】本発明の一実施例に係るジョブ処理システムの構成を模式的に示す図である。
【図２】本発明の一実施例に係る画像形成装置のコントローラ及びユーザ端末の構成を示すブロック図である。
【図３】本発明の一実施例に係るユーザ端末に表示される画像形成装置の操作画面の一例である。
【図４】本発明の一実施例に係るユーザ端末（機能の設定変更を行うユーザ端末）の動作を示すフローチャート図である。
【図５（ａ）】本発明の一実施例に係る画像形成装置の動作を示すフローチャート図である。
【図５（ｂ）】本発明の一実施例に係る画像形成装置の動作を示すフローチャート図である。
【図６（ａ）】本発明の一実施例に係るユーザ端末（ジョブを指示するユーザ端末）の動作を示すフローチャート図である。
【図６（ｂ）】本発明の一実施例に係るユーザ端末（ジョブを指示するユーザ端末）の動作を示すフローチャート図である。
【図７】本発明の一実施例に係るユーザ端末（機能の設定変更を行うユーザ端末）に表示される画像形成装置の操作画面の一例を示す図である。
【図８】本発明の一実施例に係るユーザ端末（ジョブを指示するユーザ端末）に表示される画像形成装置の操作画面の一例を示す図である。
【図９】本発明の一実施例に係るユーザ端末（ジョブを指示するユーザ端末）に表示される画像形成装置の操作画面の他の例を示す図である。
【発明を実施するための形態】
【００１５】
背景技術で示したように、近年のスマートフォンやタブレット端末などの携帯端末に対して、画像形成装置を操作するためのアプリケーションが提供されており、複数の装置から複数のユーザが同時に画像形成装置にアクセスする状況になっている。その場合に、複数のユーザが画像形成装置の機能の設定を自由に変更できるようにすると、意図しない設定でジョブが処理されてしまうという問題が生じる。
【００１６】
そこで、本発明の一実施の形態では、携帯端末やネットワーク上のコンピュータ装置などのユーザ端末と、当該ユーザ端末により機能の設定操作やジョブの指示が可能な画像形成装置と、を含むシステムにおいて、第１のユーザによる、１以上の機能に関連する設定の変更操作を認識したら、第２のユーザが指示する、１以上の機能に含まれるいずれかの機能を使用するジョブの開始を禁止し、１以上の機能に含まれない機能を使用するジョブの開始を許可するように制御する。
【００１７】
また、コピー／スキャン／Ｆａｘ／データ保存／機能共通などの機能毎に設定画面の階層を分けておき、あるユーザが１以上の機能に関連する設定の変更が可能な階層下への画面遷移を行った場合に、当該設定の変更操作と認識してジョブの開始を禁止／許可する制御を行ったり、他のユーザによる上記階層下への画面遷移を禁止したり、設定が変更される可能性があることやその設定に影響があるジョブの開始が禁止されること、その設定を変更する画面への遷移が禁止されることなどを通知したりする。
【００１８】
このように、機能の設定を変更するユーザを限定しつつ、設定が変更された機能を使用するジョブであるか否かに基づいてジョブの開始を制御することにより、意図しない設定でのジョブ処理を未然に防止し、機能の設定を変更するユーザによる画像形成装置の占有を効果的に防止することができる。
【実施例】
【００１９】
上記した本発明の一実施の形態についてさらに詳細に説明すべく、本発明の一実施例に係る画像形成装置及びジョブ指示装置並びにジョブ処理システムについて、図１乃至図９を参照して説明する。図１は、本実施例のジョブ処理システムの構成を模式的に示す図であり、図２は、本実施例の画像形成装置のコントローラ及びユーザ端末の構成を示すブロック図、図３は、ユーザ端末に表示される画像形成装置の操作画面の一例を示す図である。また、図４は、本実施例のユーザ端末（設定を変更するユーザ端末）の動作を示すフローチャート図であり、図５は、本実施例の画像形成装置の動作を示すフローチャート図、図６は、本実施例のユーザ端末（ジョブを指示するユーザ端末）の動作を示すフローチャート図である。また、図７は、本実施例のユーザ端末（設定を変更するユーザ端末）に表示される画像形成装置の操作画面の一例を示す図であり、図８及び図９は、本実施例のユーザ端末（ジョブを指示するユーザ端末）に表示される画像形成装置の操作画面の一例を示す図である。
【００２０】
図１に示すように、本実施例のジョブ処理システムは、コピーやＦａｘ、スキャン、データ保存などの機能を使用するジョブを処理するＭＦＰなどの画像形成装置１０と、画像形成装置１０にジョブの処理を指示するジョブ指示装置としてのユーザ端末３０（本実施例では、ユーザ端末３０ａ〜３０ｄ）と、を含み、これらは、有線ＬＡＮ（Local Area Network）若しくはWi-Fi等の無線ＬＡＮにてネットワーク４０に接続されている。そして、ユーザ端末３０に予めインストールされている、画像形成装置１０の操作部の役割を果たすアプリケーションにより、画像形成装置１０の機能の設定やジョブの指示が可能になっている。以下、図２を参照して、各装置の具体的な構成について説明する。
【００２１】
［画像形成装置］
図２（ａ）は、本実施例の画像形成装置１０のコントローラの構成を示すブロック図である。コントローラは、ＣＰＵ（Central Processing Unit）１１、ＲＯＭ（Read Only Memory）１２、ＲＡＭ（Random Access Memory）１３ａ、不揮発ＲＡＭ１３ｂ、モータードライバ１４、ＩＲ（Image Reader）／ＡＤＦ（Auto Document Feeder）モーター１５、表示・操作部１６、ＣＣＤ（Charge Coupled Devices）１７、ＵＳＢ（Universal Serial Bus）インターフェース１８、ＮＩＣ（Network Interface Card）１９、画像処理チップ２０、画像処理用ＲＡＭ２１、プリントエンジン２２、ＴＥＬ応答モジュール２３、モデム２４、公衆回線インターフェースモジュール２５などで構成される。
【００２２】
ＣＰＵ１１と、ＲＯＭ１２やＲＡＭ１３ａ、不揮発ＲＡＭ１３ｂなどのメモリと、で制御部が構成される。ＣＰＵ１１は、ＲＯＭ１２に保存されている制御プログラムをＲＡＭ１３ａにコピーした後、ＲＡＭ１３ａ上の制御プログラムに従って、コピー機能、Ｆａｘ機能、スキャン機能、データ保存機能などの各機能についての全体制御を行う。ＲＯＭ１２は、上記制御プログラムなどを保存する。ＲＡＭ１３ａは、制御プログラムの他に、表示・操作部１６に表示する画面データ、各種計算値などの一時保存場所として使用される。また、これらのデータを画像形成装置１０の電源が切断されても記憶しておく必要がある場合、不揮発ＲＡＭ１３ｂに記憶する。
【００２３】
また、制御部は、ユーザ端末３０から通知される操作情報に基づいて、ユーザ端末３０がどの機能の設定を行っているか（どの階層の設定画面を操作しているか）を判断し、設定の変更によって影響を受ける機能を使用するジョブの開始を禁止したり、設定の変更によって影響を受けない機能を使用するジョブの開始を許可したり、ジョブの開始の制御に関する情報を他のユーザ端末３０に通知したりするジョブ処理部として機能する。
【００２４】
ＩＲ／ＡＤＦモーター１５は、読取装置や自動原稿送り装置を駆動するモーターである。モータードライバ１４は、ＩＲ／ＡＤＦモーター１５を駆動制御する。
【００２５】
表示・操作部１６は、ＬＣＤ（Liquid Crystal Display）や有機ＥＬ（electroluminescence）ディスプレイ上に、透明電極が格子状に配置された感圧式のタッチパネルとハードキーなどで構成される。
【００２６】
ＣＣＤ１７は、画像形成装置１０の読取装置や自動原稿送り装置に設置され、原稿をスキャンして原稿の反射光を検出し、この反射光を光電変換し更にアナログ−デジタル変換して画像データを生成する。ＵＳＢインターフェース１８は、ＵＳＢ対応機器と接続するためのインターフェースである。ＮＩＣ１９は、ユーザ端末３０などとＬＡＮを経由して接続するための拡張カードであって、ユーザ端末３０から送信される操作情報やジョブデータを受信したり、操作情報やジョブの開始の制御に関する情報を他のユーザ端末３０に送信したりする。
【００２７】
画像処理チップ２０は、変倍、画像回転、濃度調整、エッジ強調、スムージング、２値化等の画像処理を行う。画像処理用ＲＡＭ２１は、画像処理チップ２０が画像処理の過程で出力する画像データや各種計算値などを一時的に記憶する。プリントエンジン２２は、画像処理用ＲＡＭ２１に蓄えられた画像データに基づいて用紙上に画像を形成する。
【００２８】
電話応答モジュール２３は、着信時の応答を行う。モデム２４は、デジタル信号を電話回線のアナログ信号に変調すると共に、その逆に変換して復調する。公衆回線インターフェースモジュール２５は、公衆回線網と接続するためのインターフェースである。
【００２９】
［ユーザ端末］
図２（ｂ）は、本実施例のユーザ端末３０ａ〜３０ｄの構成を示すブロック図である。ユーザ端末３０ａ〜３０ｄは、コンピュータ装置、スマートフォンやタブレット端末等の携帯端末であり、ＣＰＵ３１、ＲＯＭ３２、ＲＡＭ３３、表示・操作部３４、ＮＩＣ３５などで構成される。
【００３０】
ＣＰＵ３１と、ＲＯＭ３２やＲＡＭ３３などのメモリと、で制御部が構成される。ＣＰＵ３１は、ＲＯＭ３２に保存されている制御プログラムをＲＡＭ３３にコピーした後、ＲＡＭ３３上の制御プログラムに従って、全体制御を行う。ＲＯＭ３２は、上記制御プログラムなどを保存する。ＲＡＭ３３は、制御プログラムの他に、表示・操作部３４に表示する画面データ、各種計算値などの一時保存場所として使用される。
【００３１】
また、制御部は、予めインストールされたアプリケーションにより、画像形成装置１０に備える機能に関する情報を取得し、各種機能の設定操作を行うための設定画面を表示（好ましくは階層構造で表示）すると共に、どの機能の設定を行っているか（どの階層の画面を表示しているか）を示す操作情報を画像形成装置１０に送信する設定制御部として機能する。また、画像形成装置１０から他のユーザ端末３０の操作情報やジョブの開始を制御する情報を受信すると共に、設定の変更によって影響を受ける機能を使用するジョブの指示を禁止したり、設定の変更によって影響を受けない機能を使用するジョブの指示を許可したり、機能の設定が変更される可能性がある旨、設定の変更によって影響を受ける機能を使用するジョブの開始が禁止される旨、設定の変更が行われた階層下への画面遷移が禁止される旨などを表示したりするジョブ指示部としても機能する。
【００３２】
表示・操作部３４は、ＬＣＤや有機ＥＬディスプレイ上に、透明電極が格子状に配置された感圧式のタッチパネルとハードキーなどで構成される。
【００３３】
ＮＩＣ３５は、画像形成装置１０などとＬＡＮを経由して接続するための拡張カードであって、画像形成装置１０からの通知を受信したり、設定画面の操作情報を画像形成装置１０に送信したりする。
【００３４】
図３は、予めインストールされたアプリケーションによってユーザ端末３０の表示・操作部３４に表示される機能の設定画面の一例であり、図３（ａ）は、機能の選択画面（ＨＯＭＥ画面）、図３（ｂ）は、機能の選択画面でコピー機能を選択した場合に表示されるコピー機能の詳細設定画面である。
【００３５】
なお、ユーザ端末３０には、画像形成装置１０の表示・操作部１６に表示される設定画面と同じ構成の設定画面が表示されるようにしてもよいし、ユーザ端末３０の表示・操作部３４に適したサイズや配置に変更した設定画面が表示されるようにしてもよい。
【００３６】
また、本実施例では、ユーザ端末３０に予めインストールされたアプリケーションが画像形成装置１０の機能に関する情報を取得し、その情報を反映した機能の設定画面を作成して表示する構成としているが、画像形成装置１０がｗｅｂサービスを提供するｗｅｂサーバとして機能し、ユーザ端末３０がｗｅｂブラウザで画像形成装置１０にアクセスして、画像形成装置１０の機能の設定画面を表示する構成としてもよい。
【００３７】
以下、本実施例のジョブ処理システムの動作（あるユーザがユーザ端末３０を用いて画像形成装置１０の機能の設定を変更する場合の画像形成装置１０及びユーザ端末３０の動作）について説明する。
【００３８】
まず、画像形成装置１０の機能の設定を変更するユーザ端末（ここではユーザ端末３０ａ）の動作について、図４のフローチャート図を参照して説明する。なお、ユーザ端末３０ａでは、画像形成装置１０を遠隔操作するためのアプリケーションが起動しているものとする。また、複数の機能に関連する設定を不揮発設定と呼び、この不揮発設定が変更された場合の制御について説明することにする。
【００３９】
ユーザ端末３０ａの制御部は、ユーザにより画像形成装置１０に対するログイン操作が行われたかを判断し（Ｓ１０１）、ログイン操作が行われた場合は、画像形成装置１０にユーザＩＤやパスワードなどのログイン情報を通知し、画像形成装置１０がログイン情報に基づいて行った認証結果を画像形成装置１０から受信する（Ｓ１０２）。
【００４０】
次に、制御部は、認証結果に基づいて、画像形成装置１０へのログインが成功したかを判断し（Ｓ１０３）、ログイン失敗の場合はＳ１０１に戻ってログイン操作を待つ。ログイン成功の場合は、制御部（設定制御部）は、表示・操作部３４に機能の設定画面を表示させ、設定画面による設定操作の実施を待つ（Ｓ１０４）。
【００４１】
設定画面による設定操作が実施されたら、制御部（設定制御部）は、不揮発設定が変更可能な画面の階層下に入ったか（設定画面の階層構造に関しては後述する。）を判断し（Ｓ１０５）、不揮発設定変更画面の階層下に入った場合は、表示中の不揮発設定変更画面を特定する情報を画像形成装置１０に通知する（Ｓ１０６）。そして、当該画面で不揮発設定を変更する操作が行われた場合（Ｓ１０７のＹｅｓ）、設定画面の操作情報（不揮発設定の変更情報）を画像形成装置１０に通知する（Ｓ１０８）。その後、制御部（設定制御部）は、不揮発設定変更画面から抜けたかを判断し（Ｓ１０９）、不揮発設定変更画面から抜けていない場合はＳ１０７に戻って同様の処理を繰り返し、不揮発設定変更画面から抜けた場合は、設定画面の操作情報（不揮発設定変更画面から抜けた旨の情報）を画像形成装置１０に通知する（Ｓ１１０）。
【００４２】
一方、Ｓ１０５で、不揮発設定変更画面の階層下に入っていない場合は、制御部（設定制御部）は、その設定画面での操作情報を画像形成装置１０に通知する（Ｓ１１０）。
【００４３】
その後、制御部は、ログインユーザがログアウトしたかを判断し（Ｓ１１２）、ログアウトしていなければＳ１０４に戻って同様の処理を繰り返し、ログアウトした場合は、画像形成装置１０にログアウト情報を通知して（Ｓ１１３）、一連の処理を終了する。
【００４４】
次に、画像形成装置１０の動作について、図５のフローチャート図を参照して説明する。なお、図５（ａ）及び図５（ｂ）は一連の動作を示す図であり、作図の都合上、分図したものである。
【００４５】
図５（ａ）に示すように、画像形成装置１０の制御部は、ユーザ端末３０から送信されたログイン情報（図４のＳ１０２、後述する図６（ａ）のＳ３０２）に基づいてログイン認証を行い（Ｓ２０１）、ログイン認証結果を操作元のユーザ端末３０に通知する（Ｓ２０２）。認証方法としては、ユーザが表示・操作部１６により入力するログイン情報と画像形成装置１０が記憶しているログイン情報とが一致するかどうかを確認する方法が一般的であるが、ＩＣカードを利用した認証方法などを用いることができる。また、ネットワーク４０に認証サーバを設置し、認証サーバでユーザ認証を行うこともできる。
【００４６】
次に、制御部は、図４のＳ１０６、Ｓ１０８、Ｓ１１０、Ｓ１１１、Ｓ１１３、後述する図６（ｂ）のＳ３２１でユーザ端末３０から通知された操作情報を受信し、その操作情報に従って、機能の設定を行う（Ｓ２０３）。
【００４７】
次に、制御部（ジョブ処理部）は、操作情報に基づいて、不揮発設定変更画面の階層下に入っているユーザがいるか（不揮発設定変更画面の階層下の設定画面を表示しているユーザ端末３０があるか）を判断し（Ｓ２０４）、不揮発設定変更画面の階層下に入っているユーザがいる（ユーザ端末３０ａがある）場合は、図５（ｂ）に示すように、不揮発設定変更画面の階層下の操作が、読込みエリアの設定であるかを判断する（Ｓ２０５）。
【００４８】
読込みエリアの設定は、コピー、Ｆａｘ、スキャン、データ保存（Ｂｏｘ）の各機能に影響を及ぼすことから、制御部（ジョブ処理部）は、読込みエリアの設定であれば、コピー、Ｆａｘ、スキャン、データ保存（Ｂｏｘ）について、ジョブスタートを禁止し（Ｓ２０６）、読込みエリアの設定でなければ、不揮発設定変更画面の階層下の操作が、送信機能の設定であるかを判断する（Ｓ２０７）。
【００４９】
送信機能の設定は、Ｆａｘ、スキャン、データ保存（Ｂｏｘ）の各機能に影響を及ぼすことから、制御部（ジョブ処理部）は、送信機能の設定であれば、Ｆａｘ、スキャン、データ保存（Ｂｏｘ）について、ジョブスタートを禁止し（Ｓ２０８）、送信機能の設定でなければ、不揮発設定変更画面の階層下の操作が、給紙トレイの設定であるかを判断する（Ｓ２０９）。
【００５０】
給紙トレイの設定は、コピー、データ保存（Ｂｏｘ）の各機能に影響を及ぼすことから、制御部（ジョブ処理部）は、給紙トレイの設定であれば、コピー、データ保存（Ｂｏｘ）について、ジョブのスタートを禁止し（Ｓ２１０）、給紙トレイの設定でなければ、対象機能のジョブスタートを禁止し（Ｓ２１１）、Ｓ２０６、Ｓ２０８、Ｓ２１０、Ｓ２１１でジョブスタートを禁止した機能を特定する情報を他のユーザ端末３０（ここでは、ユーザ端末３０ｂ〜３０ｄ）に通知する（Ｓ２１２）。なお、Ｓ２０６、Ｓ２０８、Ｓ２１０、Ｓ２１１では、ジョブスタートを禁止したが、ジョブの編集は禁止しても禁止しなくてもよい。
【００５１】
次に、制御部（ジョブ処理部）は、不揮発設定が変更されたかを判断し（Ｓ２１３）、不揮発設定が変更された場合は、不揮発設定の変更情報を他のユーザ端末３０（ここでは、ユーザ端末３０ｂ〜３０ｄ）に通知する（Ｓ２１４）。次に、制御部（ジョブ処理部）は、操作情報に基づいて、ユーザ端末３０（ここでは、ユーザ端末３０ａ）が不揮発設定変更画面から抜けたかを判断し（Ｓ２１５）、当該画面から抜けていない場合はＳ２１３に戻って同様の処理を繰り返し、当該画面から抜けた場合は、不揮発設定変更可能画面の階層下にユーザがいなくなった旨を他のユーザ端末３０（ここでは、ユーザ端末３０ｂ〜３０ｄ）に通知する（Ｓ２１６）。
【００５２】
図５（ａ）に戻って、制御部（ジョブ処理部）は、ジョブスタートの指示があるかを判断し（Ｓ２１７）、ジョブスタートの指示がなければ、Ｓ２０３に戻って同様の処理を繰り返し、ジョブスタートの指示があれば、そのジョブはスタートが禁止されたジョブではないため、そのジョブをスタートする（Ｓ２１８）。
【００５３】
次に、他のユーザ端末３０（ここでは、ユーザ端末３０ｂ〜３０ｄ）の動作について、図６のフローチャート図を参照して説明する。なお、図６（ａ）及び図６（ｂ）は一連の動作を示す図であり、作図の都合上、分図したものである。
【００５４】
ユーザ端末３０ｂ〜３０ｄの制御部は、ユーザにより画像形成装置１０に対するログイン操作が行われたかを判断し（Ｓ３０１）、ログイン操作が行われた場合は、画像形成装置１０にユーザＩＤやパスワードなどのログイン情報を通知し、画像形成装置１０がログイン情報に基づいて行った認証結果を画像形成装置１０から受信する（Ｓ３０２）。
【００５５】
次に、制御部は、認証結果に基づいて、画像形成装置１０へのログインが成功したかを判断し（Ｓ３０３）、ログイン失敗の場合はＳ３０１に戻ってログイン操作を待ち、ログイン成功の場合は、不揮発設定に関連する情報（図５（ｂ）のＳ２１４、Ｓ２１６）を画像形成装置１０から受信する（Ｓ３０４）。
【００５６】
次に、制御部（ジョブ指示部）は、受信した情報に基づいて、不揮発設定が変更されたかを判断し（Ｓ３０５）、不揮発設定が変更された場合は、不揮発設定が変更された旨を画面上に表示して（表示例については後述する。）、ユーザ端末３０（ここでは、ユーザ端末３０ｂ〜３０ｄ）を操作するユーザに通知する（Ｓ３０６）。そして、制御部（ジョブ指示部）は、設定画面により設定操作が実施されたかを判断し（Ｓ３０７）、設定操作が実施されなかった場合はＳ３０４に戻って同様の処理を繰り返す。
【００５７】
一方、設定操作が実施された場合は、制御部（ジョブ指示部）は、コピージョブのジョブスタートが禁止されているかを判断し（Ｓ３０８）、禁止されている場合は、コピージョブのジョブスタートが禁止されている旨を画面上に表示してユーザに通知する（Ｓ３０９）。次に、制御部（ジョブ指示部）は、Ｆａｘジョブのジョブスタートが禁止されているかを判断し（Ｓ３１０）、禁止されている場合は、Ｆａｘジョブのジョブスタートが禁止されている旨を画面上に表示してユーザに通知する（Ｓ３１１）。図６（ｂ）に移って、制御部（ジョブ指示部）は、スキャンジョブのジョブスタートが禁止されているかを判断し（Ｓ３１２）、禁止されている場合は、スキャンジョブのジョブスタートが禁止されている旨を画面上に表示してユーザに通知する（Ｓ３１３）。次に、制御部（ジョブ指示部）は、データ保存（Ｂｏｘ）ジョブのジョブスタートが禁止されているかを判断し（Ｓ３１４）、禁止されている場合は、データ保存（Ｂｏｘ）ジョブのジョブスタートが禁止されている旨を画面上に表示してユーザに通知する（Ｓ３１５）。
【００５８】
次に、制御部（ジョブ指示部）は、ジョブスタート操作を監視し（Ｓ３１６）、ジョブスタートが操作された場合は、対象ジョブのジョブスタートが禁止されているかを判断し（Ｓ３１７）、対象ジョブのジョブスタートが禁止されている場合は、対象ジョブをスタートさせず、Ｓ３１６に戻って、ジョブスタート操作を監視する。
【００５９】
次に、制御部（ジョブ指示部）は、後述するユーティリティ画面階層下にいるか（ユーザがユーティリティ画面階層下の設定画面を操作しているか）を判断し（Ｓ３１８）、ユーティリティ画面階層下にいる場合は、ジョブスタートが禁止された機能があるかを判断し（Ｓ３１９）、ジョブスタートが禁止された機能がある場合は、対象機能に関わる不揮発設定を変更できない旨を画面上に表示してユーザに通知する（Ｓ３２０）。
【００６０】
その後、制御部（ジョブ指示部）は、操作情報を画像形成装置１０に通知し（Ｓ３２１）、ユーザがログアウトしたかを判断する（Ｓ３２２）。ユーザがログアウトしていない場合は、Ｓ３０４に戻って同様の処理を繰り返し、ユーザがログアウトした場合は、画像形成装置１０にログアウト情報を通知し（Ｓ３２３）、一連の処理を終了する。
【００６１】
次に、上記フローにおいて、ユーザ端末３０ａが画像形成装置１０にログインし（Ｓ１０１〜Ｓ１０３）、不揮発設定が変更可能な階層の設定画面に入った（Ｓ１０４〜Ｓ１０５）場合の、ユーザ端末３０ａ及びユーザ端末３０ｂ〜３０ｄの画面表示について、図７乃至図９を参照して具体的に説明する。
【００６２】
図７は、ユーザ端末３０ａに表示される画面であり、図７（ａ）は、ログイン後の最上位画面であるＨＯＭＥ画面である。このＨＯＭＥ画面には、画像形成装置１０の各機能（コピー／Ｆａｘ／スキャン／Ｂｏｘなど）を選択するキーと、各機能の設定を行うユーティリティ画面に遷移するユーティリティキーと、が設けられており、ＨＯＭＥ画面にて、ユーティリティキーを押下すると、図７（ｂ）に示すユーティリティ画面が表示される。このユーティリティ画面には、各種設定項目（システム管理設定／管理者設定／ネットワーク設定／ユーザ設定／宛先設定／消耗品設定など）を選択するキーが設けられており、ユーティリティ画面にて、システム管理設定キーを押下すると、図７（ｃ）に示すシステム管理設定画面が表示される。
【００６３】
このシステム管理設定画面では、コピー、Ｆａｘ、スキャン、データ保存（Ｂｏｘ）の中から選択される複数の機能に関する不揮発設定が共通機能設定に集約されており、それ以外は機能毎に設定できるようになっている。そして、このシステム管理設定画面にて、コピー管理設定キーを押下すると、図７（ｄ）に示すコピー管理設定画面が表示され、共通機能設定キーを押下すると、図７（ｅ）に示す共通機能設定画面が表示される。なお、このような階層構造の画面構成において、図４のＳ１０５の不揮発設定変更画面の階層下は、図７（ｅ）の共通機能設定画面以下の階層の画面を指す。
【００６４】
上記共通機能設定画面では、コピー、Ｆａｘ、スキャン、データ保存（Ｂｏｘ）の全ての機能に影響する読込みに関わる読込みエリア調整と、Ｆａｘ、スキャン、データ保存（Ｂｏｘ）の機能に影響する送信に関わる送信機能設定と、コピー、データ保存（Ｂｏｘ）の機能に影響する給紙トレイに関わる給紙トレイ設定と、が選択可能になっており、いずれかのキーの押下により、図７（ｆ）の読込みエリア調整画面、図７（ｇ）の送信機能設定画面、又は、図７（ｈ）の給紙トレイ設定画面が表示される。
【００６５】
その際、ユーザ端末３０ａの制御部（設定制御部）は、図７（ｅ）の共通機能設定画面、図７（ｆ）の読込みエリア調整画面、図７（ｇ）の送信機能設定画面、図７（ｈ）の給紙トレイ設定画面を表示するときに、不揮発設定変更可能画面に入った旨を画像形成装置１０に通知し（図４のＳ１０６参照）、当該画面で不揮発設定変更の入力があれば、その変更情報を画像形成装置１０に通知する（図４のＳ１０８参照）。
【００６６】
画像形成装置１０の制御部（ジョブ処理部）は、ユーザ端末３０ａからの通知を受けて、ユーザ端末３０ａがどの不揮発設定変更画面階層下を表示しているのかにより、どの機能のジョブスタートを禁止するのかを判断し（図５（ａ）のＳ２０４、図５（ｂ）のＳ２０５〜Ｓ２１１）、その旨を他のユーザ端末３０ｂ〜３０ｄに通知すると共に（図５（ｂ）のＳ２１２）、不揮発設定が変更された場合は、その旨を通知する（図５（ｂ）のＳ２１４）。
【００６７】
ユーザ端末３０ｂ〜３０ｄの制御部（ジョブ指示部）は、画像形成装置１０からの通知を受けて（図６（ａ）のＳ３０４）、不揮発設定が変更された場合、その旨を表示する（図６（ａ）のＳ３０８〜Ｓ３１１、図６（ｂ）のＳ３１２〜Ｓ３１５）。そのときの表示例を図８に示す。複数機能についてジョブスタートが禁止されている場合、図８（ａ）のＨＯＭＥ画面では全ての機能についてジョブスタートが禁止されている旨を表示し、特定機能の設定画面下（ここでは図８（ｂ）のコピー設定画面）に入ったら、その特定機能のジョブスタートを禁止すべく、スタートボタンをグレーアウトしたり×印などを表示したりして、スタートボタンが押下できないようにする。
【００６８】
なお、図８（ｂ）の画面において、コピー以外の機能の禁止情報を表示してもよい。また、図８（ａ）、（ｂ）ではジョブスタートが禁止されている旨を表示したが、図８（ｃ）、（ｄ）に示すように、どの不揮発設定が変更されたかを示す情報（ここでは、読込みエリア調整が変更された旨の情報）を表示してもよい。
【００６９】
また、図８では、個別の機能設定画面でジョブスタートが禁止される場合を示したが、複数のユーザが設定の変更を同時にできるようにすると、他のユーザが変更した設定によって意図しない設定でジョブ処理を行ってしまう恐れがある。
【００７０】
そこで、本実施例では、ユーザ端末３０ａが不揮発設定変更画面下に入っているときに、他のユーザ端末３０ｂ〜３０ｄが同じ不揮発設定画面に入れないように制御する。その場合の表示例を図９に示す。ユーザ端末３０ａが図７（ｅ）の共通機能設定画面階層下に入っているときに、ユーザ端末３０ｂ〜３０ｄの制御部（ジョブ指示部）は、ユーザが共通機能設定画面の上階層のユーティリティ画面に入った時に、図９（ａ）に示すように、他のユーザにより共通機能設定画面が使用されている旨を表示する。また、ユーティリティ画面でシステム管理設定キーを押下してシステム管理設定画面に入った場合は、図９（ｂ）に示すように、不揮発設定変更画面（共通機能設定画面）に入ることができない旨を表示する。また、不揮発設定変更画面（共通機能設定画面）に遷移するキーをグレーアウトしたり×印などを表示したりして、不揮発設定変更画面（共通機能設定画面）への遷移ができないようにする。
【００７１】
なお、上記フロー及び画面表示例では、複数の機能に関連する不揮発設定を変更する場合について説明したが、１つの機能のみに関連する設定を変更する場合も同様である。また、上記フロー及び画面表示例では、設定を変更する直前に他のユーザがジョブを指示した場合に意図しない設定でジョブが処理される恐れがあることから、設定を変更可能な画面に遷移した時（すなわち、設定を変更する前）に、他のユーザのジョブの開始を禁止したり、他のユーザによる設定変更が可能な画面への遷移を禁止したりしたが、実際に設定を変更した後に、他のユーザのジョブの開始を禁止したり、他のユーザによる設定変更が可能な画面への遷移を禁止したりする構成としてもよい。
【００７２】
このように、あるユーザが遠隔操作機能を用いて、画像形成装置１０の機能の設定を変更した場合若しくは変更する可能性がある場合に、他のユーザによる、設定が変更された機能を利用するジョブが開始できないように制御することにより、意図しない設定でジョブが処理されることを未然に防止することができる。また、あるユーザが遠隔操作機能を用いて、画像形成装置１０の機能の設定を変更している場合に、他のユーザによる同じ設定の変更ができないように制御することにより、意図しない設定でジョブが処理されることを未然に防止することができる。
【００７３】
なお、本発明は上記実施例に限定されるものではなく、本発明の趣旨を逸脱しない限りにおいて、各装置の構成や制御は適宜変更可能である。
【００７４】
例えば、上記実施例では、ユーザ端末３０ｂ〜３０ｄ側でジョブスタートができないようにしたが、ユーザ端末３０ｂ〜３０ｄ側ではジョブスタートを指示できるようにし、画像形成装置１０側でそのジョブを受け付けないようにしたり、エラーを通知したりすることもできる。
【００７５】
また、上記実施例では、画像形成装置１０を遠隔操作する場合について説明したが、操作の対象となる装置は画像形成装置１０に限らず、複数の機能を有し、外部から機能の設定が変更可能な任意のジョブ処理装置に対して、同様に適用することができる。
【産業上の利用可能性】
【００７６】
本発明は、ジョブを処理する画像形成装置などのジョブ処理装置及びジョブ処理装置にジョブを指示するジョブ指示装置並びにジョブ処理装置とジョブ指示装置とを含むジョブ処理システムに利用可能である。
【符号の説明】
【００７７】
１０  画像形成装置
１１  ＣＰＵ
１２  ＲＯＭ
１３ａ  ＲＡＭ
１３ｂ  不揮発ＲＡＭ
１４  モータードライバ
１５  ＩＲ／ＡＤＦモーター
１６  表示・操作部
１７  ＣＣＤ
１８  ＵＳＢインターフェース
１９  ＮＩＣインターフェース
２０  画像処理チップ
２１  画像処理用ＲＡＭ
２２  プリントエンジン
２３  ＴＥＬ応答モジュール
２４  モデム
２５  公衆回線インターフェースモジュール
３０ａ〜３０ｄ  ユーザ端末
３１  ＣＰＵ
３２  ＲＯＭ
３３  ＲＡＭ
３４  表示・操作部
３５  ＮＩＣインターフェース
４０  ネットワーク
【図１】
0005899991.tif 000002
【図２】
0005899991.tif 000003
【図３】
0005899991.tif 000004
【図４】
0005899991.tif 000005
【図５（ａ）】
0005899991.tif 000006
【図５（ｂ）】
0005899991.tif 000007
【図６（ａ）】
0005899991.tif 000008
【図６（ｂ）】
0005899991.tif 000009
【図７】
0005899991.tif 000010
【図８】
0005899991.tif 000011
【図９】
0005899991.tif 000012